(57)【要約】【課題】時分割多重方式で通信を行う同期通信システムにおいて、親局および子局ともに通信動作に掛かる消費電力を削減する情報通信方法を提供する。【解決手段】複数の移動局が１つの親局と複数の子局になり、通信チャンネルを時分割多重方式で共有する同期通信システムにおける情報通信方法であって、前記子局のスイッチの入力状態に応じて前記親局と前記子局間で同期確立した通信のスリープ時間の長さを変更し、スリープ時間の長さは、スイッチの入力により発生するイベントの重要度によって決定される第一の指標９０と、スイッチの入力により発生した前記イベントからの経過時間によって決定される第二の指標９１とを総合して得られる第三の指標９３に基づいて決定される。【選択図】図７
2011055383.tif 000002
【特許請求の範囲】
【請求項１】
複数の移動局が１つの親局と複数の子局になり、通信チャンネルを時分割多重方式で共有する同期通信システムにおける情報通信方法であって、
前記子局のスイッチの入力状態に応じて前記親局と前記子局間で同期確立した通信のスリープ時間の長さを変更することを特徴とした情報通信方法。
【請求項２】
スリープ時間の長さは、
スイッチの入力により発生するイベントの重要度によって決定される第一の指標と、スイッチの入力により発生した前記イベントからの経過時間によって決定される第二の指標とを総合して得られる第三の指標に基づいて決定される請求項１に記載の情報通信方法。
【請求項３】
第一の指標及び第二の指標は、
イベントの重要度またはイベントからの経過時間により親局と子局の間で通信が行われる可能性が高くなるにつれて増加し、
通信が実行された後に減少する請求項２に記載の情報通信方法。
【請求項４】
スリープ時間の長さは、時分割多重方式の時分割スロットの間隔を基準に変更される請求項１から３のいずれか１項に記載の情報通信方法。
【請求項５】
前記時分割多重方式では、親局が、通信制御情報と時分割スロットの基準となるビーコンを送出し、子局は前記ビーコンに同期して送受信動作を行う請求項１に記載の情報通信方法。
【請求項６】
前記時分割多重方式では、前記親局が送出するビーコンを基準として制御信号を送受信する制御スロットと、各子局の通信専用に使用する複数の通信スロットから構成されている請求項５に記載の情報通信方法。
【請求項７】
前記移動局が通信を開始する場合には、前記ビーコンを受信した後任意の時間だけキャリア検出を行い、当該期間にキャリア検出がなければ送信を行う請求項５または６に記載の情報通信方法。
【請求項８】
子局が起動された時から、最初にビーコンを検出するまでの時間を測定し、前記ビーコンを検出するまでの時間に基づいてキャリア検出を実施する任意の時間を変更する請求項７に記載した情報通信方法。
【発明の詳細な説明】
【技術分野】
【０００１】
本発明は、同期通信方式における低消費電力化に関するものである。
【背景技術】
【０００２】
従来の同期通信方式における低消費電力化の制御は、次のように行われる。まず、時分割多重方式のタイムスロットを形成する親局が、複数の子局に対してタイムスロットの基準となるビーコンを送信する。そして、ビーコンを検出した子局は、ビーコン内に含まれるネットワーク制御情報を基に、子局から親局に対して接続要求を行い、親局では接続できる場合は子局に割り当てるタイムスロットを通知する。子局から親局への通信は割り当てられたタイムスロットのみで行われるため、そのタイムスロット以外の時間はスリープ状態になることで、低消費電力を実現している。
【０００３】
また子局では送信データの休止期間を検出すると、親局に対して送信休止時間基準情報を伝送し、親局では前記送信休止基準情報を基に送信時間インターバルを求め、親局から子局へ伝送し、子局は前記送信時間インターバルに従い送信を行う方法でも、消費電力を削減することができる（例えば、特許文献１参照）。
【０００４】
その他の方法としては、子局はあらかじめ決められた第1周期情報から、子局が省電力モードのときは第２周期を決定し、親局へ通知し、親局は子局が省電力モードのときの周期を割り当てることにより、子局における低消費電力化を行う（例えば、特許文献２参照）。
【先行技術文献】
【特許文献】
【０００５】
【特許文献１】特表２００２−５１７９４０号公報
【特許文献２】特開２００８−１８７２８９号公報
【発明の概要】
【発明が解決しようとする課題】
【０００６】
しかしながら、前記従来の構成では、同期通信方式を行う親局は、時分割多重のためのタイムスロットの管理と、不特定多数の子局からの要求に対して、常にタイムスロットを形成するビーコンの送信動作と、子局からの通信を待ち受ける受信動作を行う必要があるため、同期通信方式における消費電力の削減効果が得られないという課題がある。
【０００７】
そこで本発明は、親局と複数の子局が同期通信方式で通信を行ううえで、親局と子局の通信動作における消費電力の削減を実現することを目的とする。
【課題を解決するための手段】
【０００８】
そしてこの目的を達成するために、本発明の情報通信方法は、複数の移動局が１つの親局と複数の子局になり、通信チャンネルを時分割多重方式で共有する同期通信システムにおける情報通信方法であって、前記子局のスイッチの入力状態に応じて前記親局と前記子局間で同期確立した通信のスリープ時間の長さを変更することを特徴としたものである。
【発明の効果】
【０００９】
本発明の情報通信方法によれば、親局の動作状態と子局の動作状態から、親局と各子局において適切なスリープ時間を設定し、親局および子局ともに通信動作に掛かる消費電力を削減することができる。
【図面の簡単な説明】
【００１０】
【図１】本発明の実施の形態におけるアプリケーションイメージを示す図
【図２】情報端末の上面図
【図３】体温計の上面図
【図４】測定フローを示す図
【図５】同期通信方式の通信手順を示す図
【図６】親局のスロット構成を示す図
【図７】スリープ間隔決定シーケンスを示す図
【図８】スロット間隔制御タイムチャートを示す図
【発明を実施するための形態】
【００１１】
以下に、本発明の情報通信方法に実施の形態を図面とともに詳細に説明する。
【００１２】
（実施の形態）
図１は、本発明の実施の形態における情報通信方法が適用されるアプリケーションイメージであり、病院などで使用される、簡易検査システムである。移動局のうち親局となる看護師３が持つ情報端末１と、移動局のうち子局となる複数の患者５が個々に使用する簡易検査装置２の間で、通信チャンネルである無線ネットワーク４が形成されている。本無線ネットワーク４の中では看護師３の情報端末１は親局として動作し、患者５の簡易検査装置２は子局として動作する。情報端末１は、各患者５が簡易検査装置２で測定した結果を患者情報なども含めて、収集する。
【００１３】
本実施の形態では、簡易検査装置２はネットワーク機能を有する体温計として記載するが、その他の検査装置であっても本発明を適用可能である。
【００１４】
図２は、情報端末１の上面図を示す。情報端末１はＰＤＡ（Ｐｅｒｓｏｎａｌ  Ｄｉｇｉｔａｌ  Ａｓｓｉｓｔａｎｔ）であり、電源スイッチ２０をＯＮすることにより、システムの電源が入る。表示パネル１１には、メニュー表示部１３と状態表示部１４がある。メニュー表示部１３は現在操作選択可能な動作メニューが表示される。状態表示部１４は、操作、通信による結果などの表示を行う。
【００１５】
スイッチ群１２には、確定キー１５、上カーソルキー１６、下カーソルキー１７、左カーソルキー１８、右カーソルキー１９があり、前記メニュー表示部１４の表示により、上カーソルキー１６、下カーソルキー１７、左カーソルキー１８、右カーソルキー１９を使って表示パネル１１に表示されるカーソルを操作し、確定キー１５により動作を決定する。
【００１６】
図３は体温計の上面図を示す。本実施の形態として前記簡易検査装置２は、体温測定部２６を人体に接触させて体温を測定する体温計を示す。ただし簡易検査装置２として血圧計、心拍計、体重計、血糖計など患者５が自ら操作して生体情報を測定する検査装置であれば適応可能である。
【００１７】
体温計の電源スイッチ２３は体温計の電源をＯＮ／ＯＦＦするスイッチである。測定モードスイッチ２４は体温計を体温測定のモードにするか、体温計の内部に記憶してある過去の測定データを参照するモードにするかを切り替える。体温測定モードに設定された場合は、体温計は体温測定の準備を行うとともに、情報端末１との通信処理を行う。もし参照モードに選択した場合は、通信スイッチ２５をＯＮするたびに過去の測定データを時間的に新しい順番で表示していく。参照モードでは測定データの通信は行わない。通信スイッチ２５は、測定したデータを通信によって送信する。表示パネル２２には、測定した測定値や測定状態、通信状態、電池残量などを示すステータス情報を表示する。
【００１８】
図４は、測定フローを示す。測定フローは、看護師３が操作する情報端末１と、患者５が操作する体温計でのお互いの機器の表示と操作により、お互いの機器が備える通信部がどのように動作するかを示している。
【００１９】
体温計は患者５の操作により電源スイッチＯＮの操作３０をされると、通信部では初期化、セットアップを経て受信モードとなる。セットアップの期間に通信部では、周辺の状況から通信可能な情報端末を検索して、通信可能な親局機器である情報端末１を見つければ、同期通信を可能とするようにスロット同期を行う。
【００２０】
同様に情報端末１においても看護師３の操作により電源スイッチＯＮの操作３１により起動され、通信部は自動的に初期化後、セットアップを行う。セットアップでは周辺の子局機器である体温計からの同期通信のためのスロット割当要求を待ち、もしスロット割当要求があれば、適当なスロットを割り当てる。その後、体温計からの接続要求に対応するために機器サーチモードとなる。
【００２１】
看護師３は前記表示パネル１１に表示されるメニューの中からデータ収集モードをカーソル操作で選択し、確定キー１５を押すことにより、情報端末１は通信上の接続要求を受付た場合う、接続要求を送信する体温計の機器ＩＤを表示するための準備が完了する。
【００２２】
患者５側では体温計の測定モードスイッチをＯＮして、体温計での体温測定を始める。このとき体温計の通信部では接続要求コマンドの送信３２を行う。接続要求コマンドにはコマンドのほかに体温計のユニークなＩＤである機器ＩＤと患者５を示す患者ＩＤを同時に送信している。
【００２３】
情報端末１では接続要求コマンドを受け付けた場合、情報端末の状態表示部１４に接続要求を送信した機器の患者ＩＤを表示する。看護師３は前記機器ＩＤと患者ＩＤを確認して、こらから測定を行う患者５で間違いなければ患者ＩＤを選択する。通信部では患者ＩＤが選択されると前記接続要求コマンドを送信してきた体温計に対して接続許可コマンドを送信３３する。接続許可コマンドには、情報端末１の機器ＩＤと接続を許可した体温計の機器ＩＤを一緒に送信する。
【００２４】
体温計では接続許可コマンドに自分の機器ＩＤが応答されれば、情報端末１の機器ＩＤを記憶するとともに、以降は前記情報端末１の機器ＩＤを宛先アドレスとして使用する。そして体温計からは情報端末１の機器ＩＤを宛先アドレスとし、自分の機器ＩＤを送信アドレスとして通信確立要求を送信３４し、情報端末では通信確立要求に対して通信確立応答を送信３５し、情報端末１の表示パネル１１に通信確立が成立したことを表示して、体温計からの測定データを受け取るために受信モードとなる。
【００２５】
体温計では通信確立応答を受信すると表示パネル２２に通信確立したことを表示する。これらの接続要求手順では、相互に機器ＩＤと患者ＩＤを交換することにより、患者５の把握と機器の把握を看護師３自身が確認することができ、患者５と測定データのミスマッチや、不正規端末からのアクセスを防ぐ効果がある。
【００２６】
患者５は体温計を装填して体温測定を行い、測定が完了したら患者５に対して測定完了を知らせるアラームを鳴らすとともに、表示パネル２２に測定できた体温値を表示する。患者５は自分の体温を確認するとともに、体温データを送信するために送信スイッチＯＮの操作３６を行うと通信部から体温データが送信３７される。体温データには体温のデータ以外にも患者ＩＤも一緒に送る。
【００２７】
情報端末１では前記体温データを受信した場合、表示パネル１１に測定完了を示すメッセージとともに受信した体温データを表示する。看護師３が送信アドレスである機器ＩＤと体温データと一緒に送られた患者ＩＤを確認し、接続手順で記憶した機器ＩＤと患者ＩＤに間違いがないことを確認した後、体温データとともに記憶される。体温データの確認が完了すると情報端末１の通信部からはデータ受領応答が送信３８される。
【００２８】
体温計はデータ受領応答を受信すると、表示パネル２２に送信完了を表示する。
【００２９】
患者５はすべての体温測定が終わると前記通信スイッチ２５をもう一度ＯＮすることにより、通信部では切断要求コマンドが送信３９される。
【００３０】
情報端末１では切断要求コマンドを受信すると、当該の患者ＩＤと切断要求のメッセージを表示パネル１１に表示する。看護師３は切断要求を受け付けてよい場合は、切断を示すメニューを選択すると、通信部からは切断コマンドが送信４０される。
【００３１】
体温計は自局宛の切断コマンドを受信すると切断完了コマンドを送信４１するとともに、表示パネル２２には通信が切断したことを示すメッセージを表示する。
【００３２】
情報端末１は切断完了コマンドを受信すると表示パネル１１に、当該の患者ＩＤと通信が切断したことを示すメッセージを表示する。
【００３３】
前記の測定フローの中で看護師３、患者５が機器を操作する間は、通信部は受信状態を保持するが、通信の品質を保持する程度に低消費電力のモードに移行する。情報端末１と体温計は同期通信方式により通信を行うが、同期通信方式では自局の送受信するタイムスロットが決まっているため、自局以外のタイムスロット区間では、通信部の電源を制御して消費電力を削減する。
【００３４】
図５は、同期通信方式の通信手順を示す。同期通信方式は、複数の通信端末で時分割多重により通信チャンネルを共有する方式である。時分割多重による通信を成立させるためには、時間同期を制御する親局と、親局の制御に従って動作する子局に分かれる。本実施の形態では親局を情報端末５０、子局を各簡易検査装置Ａ５１、Ｂ５２、Ｃ５３とする。
【００３５】
情報端末５０は、論理的な通信チャンネルとしてスロットサイクル５４を定義し、その中を等分割してスロット５５を形成する。スロット５５は制御スロット５６（Ｃと表記）、第１スロット５７（１と表記）、第２スロット５８（２と表記）、第３スロット５９（３と表記）、第４スロット６０（４と表記）に設定されている。
【００３６】
情報端末５０は、ビーコン６１を送信することにより、簡易検査装置Ａ５１、簡易検査装置Ｂ５２、簡易検査装置Ｃ５３に対して、スロットサイクル５４の時間的位置を検出させる。
【００３７】
簡易検査装置Ａ５１は電源ＯＮされる（６２）と、受信動作を行う。ビーコン６１を検出すると、制御スロット５６の間にスロット割当要求６３を情報端末５０に送信する。情報端末５０はスロット割当要求６３を受信すると、現在使用可能なスロットを選択する。第１スロット５７が使用可能であるので、第１スロット５７の中で第１スロット許可６４を簡易検査装置Ａ５１に送信する。以降、簡易検査端末Ａ５１は第１スロットの区間を使って送受信を行う。
【００３８】
簡易検査端末Ｂ５２が電源ＯＮする（６５）と、情報端末５０の送信する最初のビーコンを受信するまで受信動作を続ける。この電源ＯＮしてから最初のビーコンを検出するまでの時間はビーコン待ち時間６６として計測される。同じように簡易検査装置Ｃ５３が電源ＯＮされ（６７）、最初のビーコンを受信するまで受信状態を継続し、ビーコンを検出するまでのビーコン待ち時間６８を計測する。
【００３９】
簡易検査装置Ｂ５２と簡易検査装置Ｃ５３が電源ＯＮしてから最初のビーコン６９を検出すると、情報端末５０に対してスロット割当要求７０、７１を送信しようとするが、簡易検査装置Ｂ５２はスロット割当要求７０を送信できるが、簡易検査装置Ｃ５３は接続要求待ち７２となり、スロット割当要求７１の送信を行わない。
【００４０】
制御スロット５６だけは、さまざまな通信端末が、情報端末５０との間に同期通信手順を形成する前に使用するため、送信タイミングが衝突することが起きる。従ってこの衝突を回避するため、制御スロット５６で送信する端末は、バックオフ時間を設ける。このバックオフ時間はビーコンを受信してからスロット割当要求を送信するまでの時間であり、ビーコン待ち時間に反比例し、ビーコン待ち時間が短いほどバックオフ時間は長くなる。
【００４１】
従って、ビーコン待ち時間が長かった簡易検査装置Ｂ５２のスロット割当要求７０が先に送信される。ビーコン６９が送信された時点でビーコン待ち時間が短かった簡易検査装置Ｃ５３は、バックオフ時間経過後にスロット割当要求７１を送信しようとするが、先に簡易検査装置Ｂ５２からスロット割当要求７０が送信されているため、接続要求待ち７２となり、スロット割当要求７１を送信しない。そして、接続要求待ち７１となった簡易検査装置Ｃ５３は、次のスロットサイクルでスロット割当要求を送信する。
【００４２】
情報端末５０は、簡易検査装置Ｂ５２からスロット割当要求７０を受信すると、第１スロットでは、簡易検査装置Ａ５１と送受信７３を行っているため、第２スロットで第２スロット許可７４を簡易検査装置Ｂ５２に送信する。以降、簡易検査装置Ｂ５２は、第２スロットの区間を使って送受信を行う。
【００４３】
次のスロットサイクルで情報端末５０がビーコン７５を送信すると、簡易検査装置Ｃ５３はスロット割当要求７６を送信する。情報端末５０は、スロット割当要求７６を受信すると、第１スロットで簡易検査装置Ａ５１と送受信７７を行い、第２スロットで簡易検査装置Ｂ５２と送受信７８を行っているため、第３スロットで第３スロット許可７９を簡易検査装置Ｃ５３へ送信する。以降、簡易検査装置Ｃ５３は、第３スロットの区間を使って送受信を行う。
【００４４】
図６は親局のスロット構成を示す。スロット８０は時間幅２ｍｓｅｃと定義し、各スロットには制御スロット８１と第1スロット８２、第２スロット８３、第３スロット８４、第４スロット８５の５つのスロットをまとめてスロットサイクル８６と定義している。したがってスロットサイクル時間は１０ｍｓｅｃとなる。
【００４５】
各スロットには送信スロット（Ｔと表記）と受信スロット（Ｒと表記）が決められており、それぞれスロットの１／２の１ｍｓｅｃを使用する。制御スロット８１と第1スロット８２から第４スロット８５では、送信スロットと受信スロットのスロット位置が異なっている。即ち、制御スロット８１では、送信スロット８７ａが前、受信スロット８７ｂが後ろであるが、第１〜４スロット８２〜８５では、受信スロット８８ｂが前、送信スロット８８ａが後ろとなる。これは制御スロット８１では、送信権の優先順位が親局機器であり、各子局に割り当てる第１〜４スロット８２〜８５では、送信権の優先順位が各子局にあるからである。
【００４６】
制御スロット８１の送信スロット８７ａでは、親局機能を有する情報端末１は、ビーコン８９をブロードキャストする。ビーコン８９にはネットワークの識別信号とネットワークの接続状態を示す信号があり、ビーコン８９を受信した各局は、ビーコンを時間的基点としてスロットを認識し、またネットワーク内の制御情報を受信する。したがって子局ではビーコン８９を受信するスロットは受信スロットになる。受信スロット８７ｂは、ビーコン８９を受信した子局が応答する受信スロットになる。子局は接続要求などの応答を行う場合は、この受信スロット８７ｂで応答するが、複数の子局が同時にアクセスする場合は、早く送信を始めた子局が送信権を得ることができる。そのため受信スロット８７ｂの区間では子局はキャリア検出を行う必要がある。キャリア検出の時間区間は前記バックオフ時間から求められた値として決まっている。これによりバックオフ時間が短い子局が送信権を得る構造になる。
【００４７】
親局は常に制御スロット８１の送信スロット８７ａにビーコン８９を送信する。もしネットワークに接続されていない子局が接続要求を行う場合は、制御スロット８１の受信スロット８７ｂを使って、スロット割り当て要求コマンドとともに、通信確立に必要な自局のＩＤを伝達する。親局局はスロット割り当て要求コマンドを受け取ると未使用のスロットを割り当て、同じスロットサイクル中の当該スロットの送信スロットに、前記子局のＩＤとスロット割り当て許可コマンドを送る。前記スロット割り当て要求を送った子局は、該スロット割り当て許可コマンドを受信すると、当該のスロットを自局のスロットとして使用できる。
【００４８】
図７はスリープ間隔決定シーケンスを示す。体温計は測定手順の中で、測定手順のどこの状態かによって操作するスイッチの重要度を定義する操作ランク９０（第一の指標）を数値化する。またスイッチの操作してからの経過時間によってスイッチが押される可能性が高くなることを示す操作反応ランク９１(第二の指標)を数値化する。この操作ランク９０と操作反応ランク９１によりランク９２（第三の指標）を算出する。ランク９２が高い値を示すほどスリープ時間が短くなることを示している。操作状態９３は体温計の操作および通信による体温測定手順の状態を示している。通信コマンド９４は操作状態９３に関連する通信手順を示している。
【００４９】
電源ＯＮでは、操作ランク９０と操作応答ランク９１はそれぞれ「１」を示している。ランク９２は、操作ランク９０と操作応答ランク９１を加算して「２」を示している。測定モードスイッチ２４ＯＮの状態になると操作応答ランク９１は時間とともに増加していく。それによりランク９２も増加していく。この理由は測定モードスイッチ２４をＯＮして時間が経過するに従って、情報端末の操作が進み通信接続に関するコマンドのやり取りが多くなる可能性が高くなるため、スリープ時間を短くする必要が生じるためである。
【００５０】
通信コマンド９４の通信確立受信９５が発生すると通信確立が成立したことを示し、体温計の操作手順からすれば、すぐにデータ通信を必要とする確率が低くなるので、操作反応ランク９１の値は１に戻る。しかし測定手順に入ってきたことから操作ランクの値は１ランク高くなり「２」となり、ランク９２は「３」を示す。操作応答ランク９１の値は一旦「１」に戻るが、体温計の測定手順は進んでいるため、時間とともに操作応答ランク９１は増加していく。そして体温の測定完了の通知９６があると、操作応答ランク９１と操作ランク９０はともに値が「５」になる。この理由は、測定が完了した後は測定データを情報端末１に送信する可能性が高くなる。従って情報端末１が体温計に割り当てた通信速度が最大に出せるようにスリープ期間が最小になる。
【００５１】
体温計はデータ送信手順によりデータ送信を行った後、データ送信動作の完了を示すデータ受領応答９７が情報端末１から応答されると、送受信されるデータの可能性が低いため操作応答ランク９１の値は「１」と低くなる。データ送受信手順の後は切断手順となるので、切断手順の操作重要度から操作ランク９０の値は「３」にセットされる。
【００５２】
体温計では通信スイッチ２５をもう一度ＯＮすると切断手順９８に進む。このイベントが起きると操作応答ランク９１は時間とともに増加してゆき、切断完了受信９９により、情報端末との通信が切断されると、初期値の「１」に戻る。
【００５３】
表１はスロット間隔とスリープ時間の関係を示す表である。測定手順により決められるランク９２は値が高くなるに従ってスロット間隔の値が低くなる。スロット間隔はスリープを継続するスロットサイクルの間隔である。即ち、スリープ時間はスロットサイクルの単位で調整される。
【００５４】
【表１】
2011055383.tif 000003
【００５５】
図８はスロット間隔制御タイムチャートである。情報端末１００は親局としてネットワークを制御する。親局はビーコン１０２を送出して他局に対してスロットサイクルの始まりと、ネットワークに関する情報を知らせる。スロットサイクル１０３はスロット１０４に示すスロットに分割されて使用される。スロット１０４は制御スロット１０５（Ｃと表記）と第１スロット１０６（１と表記）、第２スロット１０７（２と表記）、第３スロット１０８（３と表記）、第４スロット１０９（４と表記）に分割されている。体温計１０１は子局であり、親局のネットワーク制御によって使用できるスロットを第1スロット１０６に割り当てられている。
【００５６】
第Ｎ０のスロットサイクル１１０の第１スロット１０６では、体温計は前記定義したランク９２の数値５を転送する１１１。ランク“５”を受信した情報端末１００は、表１を参照して体温計が６スロット間隔のスリープ時間を設けることを認識し、Ｎ０＋１〜Ｎ０＋６のスロットサイクル間では、体温計が使用する第１スロット１０６の区間はスリープする。本実施の形態では体温計以外の子局機器がないため、情報端末１００はすべてスリープ時間に使うことができる。
【００５７】
体温計はランク値５を送信した受理されたことを確認して、６スロットスリープ期間１１２に入る。この６スロット区間６０ｍｓｅｃの間、体温計での一切の通信動作を行わないため、通信部が消費する電力は削減できる。
【００５８】
体温計は第Ｎ０＋７のスロットサイクル１１３で通信を回復し、体温計の測定状態により、今度は、ランク“６”を転送１１４すると、５スロットのスリープ期間１１５の５０ｍｓｅｃの間、再びスリープする。
【００５９】
以上のように、体温計などの簡易検査装置は測定手順が定型化できるので、患者の機器操作に従って、測定手順の中での当該操作に求められる通信速度のランクを示す操作ランクと、当該操作が行われてからの時間経過をランクで示す操作反応ランクを定義して、その２つの数値結果をランクとして親局機器に送信し、ランクで指定されたスリープ期間を設定することにより、通信動作にかかる消費電力を削減することができる。
【産業上の利用可能性】
【００６０】
本発明にかかる情報通信方法は、操作手順中の操作状態により、スリープ時間を最適化することにより通信にかかる消費電力を提言する効果を有し、無線通信の同期通信方式における低消費電力化方法に有用である。
【符号の説明】
【００６１】
１、５０、１００  情報端末
２  簡易検査装置
３  看護師
４  無線ネットワーク
５  患者
１１  表示パネル
１２  スイッチ群
１３  メニュー表示部
１４  状態表示部
１５  確定キー
１６  上カーソルキー
１７  下カーソルキー
１８  左カーソルキー
１９  右カーソルキー
２０  電源スイッチ
２１、１０１  体温計
２２  表示パネル
２３  電源スイッチ
２４  測定モードスイッチ
２５  通信スイッチ
２６  体温測定部
３０、３１  電源スイッチＯＮ
３２  接続要求コマンド送信
３３  接続許可コマンド送信
３４  通信確立要求送信
３５  通信確立応答送信
３６  通信スイッチＯＮ
３７  体温データ送信
３８  データ受領応答送信
３９  切断要求コマンド送信
４０  切断コマンド送信
４１  切断完了コマンド送信
５１  簡易検査装置Ａ
５２  簡易検査装置Ｂ
５３  簡易検査装置Ｃ
５４、８６、１０３  スロットサイクル
５５、８０、１０４  スロット
５６、８１、１０５  制御スロット
５７、８２、１０６  第１スロット
５８、８３、１０７  第２スロット
５９、８４、１０８  第３スロット
６０、８５、１０９  第４スロット
６１、６９、７５、８９、１０２  ビーコン
６２、６５、６７  電源ＯＮ
６３、７０、７１、７６  スロット割当要求
６４  第１スロット許可
６６、６８  ビーコン待ち時間
７２  接続要求待ち
７３、７７、７８  送受信
７４  第２スロット許可
７９  第３スロット許可
８７ａ、８８ａ  送信スロット
８７ｂ、８８ｂ  受信スロット
９０  操作ランク
９１  操作応答ランク
９２  ランク
９３  操作状態
９４  通信コマンド
９５  通信確立受信
９６  測定完了の通知
９７  データ受領応答
９８  切断手順
９９  切断完了受信
１０１  体温計
１１０  第Ｎ０のスロットサイクル
１１１、１１４  ランク数値転送
１１２  ６スロットスリープ期間
１１３  第Ｎ０＋７のスロットサイクル
１１５  ５スロットスリープ期間
【図１】
2011055383.tif 000004
【図２】
2011055383.tif 000005
【図３】
2011055383.tif 000006
【図４】
2011055383.tif 000007
【図５】
2011055383.tif 000008
【図６】
2011055383.tif 000009
【図７】
2011055383.tif 000010
【図８】
2011055383.tif 000011